Podtech/llm-jp-corpus-v4-ja_patent huggingface dataset:
(57)【要約】      （修正有）【課題】バッカー（硬質スポンジ）の表面をヘラ板より大きく末広がり状に形成し、ヘラ板に着脱自在に貼着して、コーキング材を綺麗にならすコーキングのヘラを提供する。【解決手段】バッカー（硬質スポンジ）３表面をヘラ板１より大きく末広がり状に形成して、ヘラ板１の一平面側にバッカー（硬質スポンジ）３の裏面を両面テープ４で着脱自在に貼着したもので、バッカー（硬質スポンジ）３の表面の鋭角な傾斜面の先端を目地に交差するように当接させ目地溝に沿って移動し、押圧処理しながら内部の気泡や空隙を取り除き、コーキング材を綺麗にならすものである。【選択図】図１
0003211494.tif 000002
【実用新案登録請求の範囲】
【請求項１】
握持部とヘラ板よりなるコーキングのヘラにおいて、バッカー（硬質スポンジ）の表面をヘラ板の平面よりも末広がり状に大きく形成し、ヘラ板の一平面にバッカー（硬質スポンジ）の裏面を着脱自在に貼着したことを特徴とするコーキングのヘラ。
【考案の詳細な説明】
【技術分野】
【０００１】  本考案は、目地に注入したコーキング材を押圧処理して内部の気泡や空隙を取り除き、コーキング材をならすために使用されるコーキングのヘラに関するものである。
【背景技術】
【０００２】  従来の技術としては、先端がほぼ平らで厚みが薄いヘラで、硬質タイプのヘラとしてステンレスヘラ、プラスチックヘラがあり、軟質タイプとして割り箸、木のヘラ等などを利用して頭の部分にバッカー（硬質スポンジ）を貼着した自作のスポンジヘラがあり、用途に応じて形状の異なるヘラを使いわけていた。
【先行技術文献】
【０００３】
【特許文献】
【特許文献】特開平８−１４４４９８号  公報
【考案の概要】
【考案が解決しようとする課題】
【０００４】  従来、  硬質タイプのヘラは材質が硬く、ヘラの柔軟性がききにくいので、対象物の面が荒れているとその凹凸でヘラが振動して表面にビビリ模様が出来てしまう。また、プラスチックヘラは使っているとだんだん削れて先がギザギザなり、表面が綺麗に仕上がらない。さらに、軟質タイプの自作のスポンジヘラは、コーキング材が注入された場所によって、幅がさまざまなので、それに合わせて適切なコーキング材のならしが出来るように色々な形の自作ヘラを作成しないといけない。またコーキング材をならす際、ヘラ先を目地溝に沿って押し進みながら、はみ出したコーキング材を取り除くので、先端がほぼ平らなものはヘラ先に大きな抵抗を受けて安定感がなく仕上がりにむらが出来る場合がある。上記の問題を解決する為に、バッカー（硬質スポンジ）の表面をヘラ板より大きく末広がり状にし、ヘラ板の一平面側にバッカー（硬質スポンジ）の裏面を着脱自在に貼着したコーキングのヘラを提供することを目的としたものである。
【課題を解決するための手段】
【０００５】  上記問題を達成するために、本考案はバッカー（硬質スポンジ）の表面をヘラ板より大きく末広がり状に形成し、ヘラ板の一平面側にバッカー（硬質スポンジ）の裏面に設けた両面テープで着脱自在に貼着したものである。なお、バッカー（硬質スポンジ）の裏面はヘラ板の平面と同形状になっている。
【考案の効果】
【０００６】  上記のように本考案は、バッカー（硬質スポンジ）の表面をヘラ板より大きく末広がり状に形成している。すなわちバッカー（硬質スポンジ）の側面が傾斜しており、先端部の形状はＶ字形になっているので、狭幅の入隅部に注入された余分なコーキング材を除去する際もヘラ先が受ける抵抗が軽減され、確実に気泡や空隙を取り除き安定した作業で表面仕上げを綺麗に出来る。【０００７】  さらにバッカー（硬質スポンジ）は柔軟性を持ち合わしているので、作業者の力の入れ具合に応じて、Ｖ字形の先端部が撓み変形するので異なる幅の対象物に対応するので、対象物の面が凹凸に成っていてもあまり影響されない効果がある。【０００８】  そして、バッカー（硬質スポンジ）の裏面には着脱自在な両面テープ等を設けて、ヘラ板に貼着しているので、交換作業がスムーズに行えるので作業効率も上がる。【００９】  また、バッカー（硬質スポンジ）はベース素材と合成ゴムの組み合わせにより硬質から軟質の商品を選択できるので、好みの硬さの最適なバッカーを選択することにより、異なる対象物に対応することが出来る。
【図面の簡単な説明】
【００１０】
【図１】  本考案のコーキングのヘラの正面図である。
【図２】  本考案のバッカー（硬質スポンジ）とヘラ板の一部切欠拡大断面図である。
【考案を実施するための形態】
【００１１】  本考案はバッカー（硬質スポンジ）の表面はヘラ板の平面より大きく、そして末広がり状に鋭角な傾斜面を形成しており、裏面には着脱自在な両面テープ等を設けてヘラ板の一平面側に貼着している。なお、バッカー（硬質スポンジ）の裏面はヘラ板の平面と同形状になっている。以下、添付図面に従って一実施例を説明する。
【実施例】
【００１２】図１及び図２は本考案の正面図と一部切欠拡大断面図である。
１は略長方形状のステンレス等よりなるヘラ板である。２はヘラ板１の握持部である。３はバッカー（硬質スポンジ）で表面をヘラ板１より大きく末広がり状に形成している。４はヘラ板２とバッカー（硬質スポンジ）３を貼着している両面テープである。【００１３】  本考案は以上の構成であるから、バッカー（硬質スポンジ）３表面をヘラ板１より大きく末広がり状に形成している。すなわちバッカー（硬質スポンジ）３の側面が傾斜しており、先端部の形状はＶ字形になっている。ヘラ板１の一平面側にバッカー（硬質スポンジ）３の裏面に設けた両面テープ４で着脱自在に貼着したものである。なお、バッカー（硬質スポンジ）３の裏面はヘラ板１の平面と同形状になっている。これを使用するには握持部２を手で持ち、バッカー（硬質スポンジ）３の表面の鋭角なＶ字形になっている先端を目地に交差するように当接して目地溝に沿って移動し、押圧処理しながら内部の気泡や空隙を取り除き、コーキング材を綺麗にならすものである。さらに、硬質から軟質の多様なバッカー（硬質スポンジ）３を用意しているので、対象物の用途により最適なバッカー（硬質スポンジ）３を選択することができ、そしてはバッカー（硬質スポンジ）３は両面テープ４等により着脱自在に貼着されているので、容易に交換が出来るものである。
【産業上の利用可能性】
【００１４】本考案は、コーキングのヘラを製造する産業で利用される。
【符号の説明】
【００１５】    １  ヘラ板
２  握持部
３  バッカー（硬質スポンジ）
４  両面テープ
【図１】
0003211494.tif 000003
【図２】
0003211494.tif 000004
【手続補正書】
【提出日】平成29年5月1日(2017.5.1)
【手続補正１】
【補正対象書類名】実用新案登録請求の範囲
【補正対象項目名】請求項１
【補正方法】変更
【補正の内容】
【請求項１】
握持部とヘラ板よりなるコーキングのヘラにおいて、バッカーの表面をヘラ板の平面よりも末広がり状に大きく形成し、ヘラ板の一平面にバッカーの裏面を着脱自在に貼着したことを特徴とするコーキングのヘラ。
(57)【要約】      （修正有）【課題】洗濯機で洗う時出る糸屑を取る糸屑取りを提供する。【解決手段】合成繊維で形成され球状を有する。【選択図】図１
0003211487.tif 000002
【実用新案登録請求の範囲】
【請求項１】
この糸屑取り洗濯で出る糸屑を取るのが目的である
洗濯物の中に入れる２．３個
【考案の詳細な説明】
【考案の詳細な説明】
【考案属する技術分野】
【０００１】糸屑を絡め取るのが特長である
【背景技術】
【０００２】洗濯機にある糸屑取り
【考案が解決しようとする課題】
【０００３】一番の特長わ糸屑取る  合成繊維で出来で引掛る素材これが大切
【課題を解決するための手段】
【０００４】洗濯をする場合に出る糸屑を出来るだけ取り度い
【０００５】本案は実施例  形は様々  卓球に使う球ぐらいの丸
【０００６】
0003211487.tif 000003
【手続補正書】
【提出日】平成29年3月8日(2017.3.8)
【手続補正１】
【補正対象書類名】実用新案登録請求の範囲
【補正対象項目名】全文
【補正方法】変更
【補正の内容】
【実用新案登録請求の範囲】
【請求項１】
洗濯機て洗う時出る糸屑を取るのが目的である
【手続補正２】
【補正対象書類名】明細書
【補正対象項目名】全文
【補正方法】変更
【補正の内容】
【考案の詳細な説明】
【考案の詳細な説明】
【技術分野】
【０００１】合成繊維で出来た引っ掛る素材
【背景技術】
【０００２】
【考案が解決しようとする課題】
【０００３】洗濯物を奇麗に仕上げ度い
【課題を解決するための手段】
【０００４】
【実施例】
【０００５】イ  ピンポン卓球玉ぐらいの丸い形  同じ大きさ角形
【図面の簡単な説明】
【０００６】
【図１】直径約５ＣＭぐらいの丸  同じ大きさの角型
【手続補正３】
【補正対象書類名】図面
【補正対象項目名】全図
【補正方法】追加
【補正の内容】
【図１】
0003211487.tif 000004
【手続補正書】
【提出日】平成29年4月26日(2017.4.26)
【手続補正１】
【補正対象書類名】実用新案登録請求の範囲
【補正対象項目名】全文
【補正方法】変更
【補正の内容】
【実用新案登録請求の範囲】
【請求項１】
合成繊維で形成され球状を有する糸屑取り
(57)【要約】      （修正有）【課題】動物の糞は取りにくく、取り残しもあり、手間もかかり取り扱いに苦慮しているという課題があり、これらを解消するために、糞を収納する袋を備えた糞処理具を提供する。【解決手段】折り曲げの出来るボード１をフラットなボードとして使用出来るようコの字形をした移動体で、ボード１の表面・裏面から挟んで固定し、袋にボード１を差し込み袋の端をレバー３でボード１に抑えつけ固定した状態で、ボード１の取っ手６を持って糞がのるようにペットの股間の近くに差し込み袋上にキャッチし、袋の口の端を指でつまみレバー３から引き抜き、袋の中に手を入れ糞を包み込むように袋を裏返し、糞を袋の中に取り込むようにした。また、使用後は移動体をスライドさせボードを折り曲げてコンパクトに収納出来るようにした。【選択図】図１
0003211490.tif 000002
【実用新案登録請求の範囲】
【請求項１】
ボードの折り曲げ部を薄くし折り曲げの出来るようにした取っ手の付いたボードであって、ボードに袋を抑えるバネで上げ下げできるレバーを設け、さらにボードの一部の表面・裏面に移動体をスライドさせる凸部を有することを特徴とする糞処理具。
【請求項２】
折り曲げのできるボードを、フラットな状態のボードとして使用出来るよう固定する移動体は、コの字形をし、その内側の両面に凹部を設け、ボードを挟み凸部に合わせてボードの折り曲げ部の中央にスライドするようにした。使用後は移動体をスライドさせボードを折り曲げコンパクトに収納できるようにしたことを特徴とする請求項１記載の糞処理具。
【考案の詳細な説明】
【技術分野】
【０００１】本考案は、動物の糞の後始末を解決するために、ボードを利用し、袋上に糞をキャッチし、その袋の中に取り込むようにしたものである。
【背景技術】
【０００２】従来は、ティッシュ等により取り上げ、袋等に入れ処理していた。
【考案の概要】
【考案が解決しようとする課題】
【０００３】動物の糞は取りにくく、取り残しもあり、手間もかかり取り扱いに苦慮しているという課題がある。
【課題を解決するための手段】
【０００４】（１）本考案の糞処理具である取っ手の付いたボードは、折り曲げ部が薄く容易に折り曲げの出来るようになっており、袋を抑えるバネで上げ下げできるレバー、及びボードの一部の表面・裏面に移動体をスライドさせる凸部を有している。
（２）折り曲がるボードをフラットなボードとして使用出来るようボードに取りける移動体は、ボードを挟み付けられるようコの字形をし、その内側の両面には凹部を有している。
（３）ボードの凸部に移動体の凹部を合わせ差し込み、移動体の中央が折り曲げ部にかかるようスライドさせフラットなボードとして使用出来るような状態で、ボードの取っ手を持って袋にボードを差し込み、袋の端をレバーでボードに抑えつけ固定する。
（４）袋上に糞がのるようにペットの股間の近くに取っ手を持ってボードを差し込み、袋上にキャッチし、袋の口の端を指でつまみレバーから引き抜き、糞を包み込むように袋を裏返し、糞を袋の中に取り込むようにした。使用後は移動体をスライドしボードを折り曲げてコンパクトに収納出来るようにした。
【考案の効果】
【０００５】手を汚さずに、手間もかからず、糞の取り残しもなく簡単に処理することができる。
【図面の簡単な説明】
【０００６】
【図１】ボードの平面図である。
【図２】ボードの正面図である。
【図３】移動体の側面図である。
【図４】ボードに移動体を取り付け、袋をセットした平面図である。
【図５】ボードに移動体を取り付けた側面図である。
【考案を実施するための形態】
【０００７】  以下、本考案の実施の形態について図面を参照しつつ説明する。
（１）▲６▼取っ手のついた▲１▼ボードの▲２▼折り曲げ部は折り曲げられるように薄くしてあり、またボードには▲９▼袋を抑えつける▲４▼バネで上げ下げできる▲３▼レバー、及び▲７▼移動体がスライドするようにボードの一部の表面・裏面には帯状に▲５▼凸部が設けられている。
（２）▲７▼移動体は、▲１▼ボードを挟みフラットなボードとして使用出来るようコの字形をし、その内側の両面にはボードの▲５▼凸部にそってスライドするよう帯状に▲８▼凹部が設けられている。
（３）移動体はボードの凸部に移動体の凹部を合わせ差し込み、フラットなボードとして固定された状態で使用出来るよう移動体の中央が折り曲げ部にかかるようスライドさせボードにセッする。
【実施例】
【０００８】（１）図４のようにフラットなボードとして固定された状態で使用出来るよう移動体を折り曲げ部の中央までスライドさせボードにセットし、この状態でボードの取っ手を持って袋にボードを差し込み、袋の端をレバーでボードに抑えつけ固定し使用する。数枚の袋をセットした状態で使用する。
（２）使用時は袋上に糞がのるようにペットの股間の近くに取っ手を持ってボードを差し込み、袋上にキャッチし、袋の口の端を指でつまみレバーから引き抜き、糞を包み込むように袋を裏返し、糞を袋の中に取り込むようにした。使用後は移動体をスライドしボードを折り曲げてコンパクトに収納出来るようにした。
【符号の説明】
【０００９】▲１▼  ボード
▲２▼  折り曲げ部
▲３▼  レバー
▲４▼  バネ
▲５▼  凸部
▲６▼  取っ手
▲７▼  移動体
▲８▼  凹部
▲９▼  袋
【図１】
0003211490.tif 000003
【図２】
0003211490.tif 000004
【図３】
0003211490.tif 000005
【図４】
0003211490.tif 000006
【図５】
0003211490.tif 000007
【手続補正書】
【提出日】平成29年3月15日(2017.3.15)
【手続補正１】
【補正対象書類名】実用新案登録請求の範囲
【補正対象項目名】請求項２
【補正方法】変更
【補正の内容】
【請求項２】
折り曲げのできるボードを、フラットな状態のボードとして使用出来るよう固定する移動体は、コの字形をし、その内側の両面に凹部を設け、ボードを挟み凸部に合わせてボードの折り曲げ部の中央にスライドするようにし、使用後は移動体をスライドさせボードを折り曲げコンパクトに収納できるようにしたことを特徴とする請求項１記載の糞処理具。
(57)【要約】      （修正有）【課題】調味料や付属食品を箱内に収納することができる弁当箱を提供する。【解決手段】上蓋と容器から成る弁当箱において、上蓋２の裏面に、周囲から隔絶した収納スペースを１以上有し、収納スペースは、収納スペースと周囲のスペースとの境界をなす収納壁３１Ａ、Ｂと、収納スペースを密封可能とするキャップと、を有する。液体・粉末用の収納スペース３Ａは、分離型・ねじ式のキャップ又は連架型ワンタッチ嵌着式のキャップを有し、密封可能となっている。付属食品用の収納スペース３Ｂは嵌着式のキャップ３２Ｂを有する。【選択図】図２
0003211693.tif 000002
【実用新案登録請求の範囲】
【請求項１】
上蓋と容器から成る弁当箱において、前記上蓋の裏面に、周囲から隔絶した収納スペースを１以上有することを特徴とする弁当箱。
【請求項２】
前記収納スペースは、
前記収納スペースと周囲のスペースとの境界をなす収納壁と、
前記収納スペースを密封可能とするキャップと、
を有することを特徴とする請求項１記載の弁当箱。
【考案の詳細な説明】
【技術分野】
【０００１】
本考案は、上蓋の裏面に調味料などを保管できる収納スペースを備える弁当箱に関する。
【背景技術】
【０００２】
従来のお弁当箱には、醤油、ソース、ポン酢、マヨネーズ、ケチャップ、塩、コショウ、からし、わさび等の調味料を直接入れるスペースは特になく、調味料等は別の小容器等に入れ弁当箱とともに携帯し、食事に際しては、前記小容器から直接食材にかけて、食材に味をつけて食べるのが通常である。
【０００３】
また、乾いた海苔、ふりかけの小分けパック、サプリメントなどの付属食品についても、それぞれ適当な保管具に収めて携帯することが多い。
【先行技術文献】
【特許文献】
【０００４】
【特許文献１】実開平６−１５５２３
【考案の概要】
【考案が解決しようとする課題】
【０００５】
上述した調味料等の保管・携帯方法では、食事の際に、別容器の調味料を弁当箱内の食材の上からかけるため、その調味料の対象外の食材に調味料が付いてしまったり、味が濃すぎになってしまう事が多々あった。また、海苔やふりかけ等の付属食品については、弁当箱の外に付けて携帯するため、携帯物の量が増えたり煩雑になったりすることが多かった。
【０００６】
特許文献１には、上蓋を２重構造とし、上蓋本体に着脱自在にヒンジ接続した２枚の平行蓋の間に箸や調味料入れを設置する空間を備えた弁当箱についての考案が開示されている。しかしながら、同考案では、調味料等を収納するために独立した別の段を設けることから、実質的には２段重ねの弁当箱の構造となっており、高さ方向の寸法が増加してしまい携帯性に劣るうえ、弁当箱自体の構造が複雑になるという欠点がある。
【０００７】
上述の事情を踏まえ、本考案においては、調味料や付属食品を箱内に収納することができる弁当箱を提供することを課題とする。
【課題を解決するための手段】
【０００８】
上記課題を解決するために、本考案に係る弁当箱は、上蓋の裏面に、周囲から隔絶した収納スペースを１以上有し、前記収納スペースは、前記収納スペースと周囲のスペースとの境界をなす収納壁と、前記収納スペースを密封可能とするキャップと、を有することを特徴とする。
【０００９】
液体・粉末用の収納スペースは、分離型・ねじ式のキャップ又は連架型ワンタッチ嵌着式のキャップを有し、密封可能となっている。付属食品用の収納スペースは嵌着式のキャップを有する。
【考案の効果】
【００１０】
本考案に係る弁当箱を使用することにより、調味料を弁当箱内の食材の上からかけるのではなく、蓋裏に設置された収納スペース内の調味料に食材を付けることが可能になるため、対象外の食材に調味料が付いたり、味が濃すぎになってしまうことがなくなる。すなわち、好みの調味料を食材に付けたい分だけ付けて、味を楽しむことができるようになる。
【００１１】
本考案に係る弁当箱を使用することにより、別容器の調味料入れが必要なくなる。また、海苔やふりかけ等の付属食品についても、弁当箱内の収納が可能になるため、弁当全体の嵩が減少し携帯性が向上する。
【図面の簡単な説明】
【００１２】
【図１】実施形態１の弁当箱の上蓋の平面図である。
【図２】実施形態１の弁当箱の上蓋の斜視図である。
【図３】実施形態２の弁当箱の上蓋の斜視図である。
【考案を実施するための形態】
【００１３】
以下、本考案の弁当箱について図を用いて説明する。
【００１４】
（実施形態１）
実施形態１の弁当箱は、図１及び２に示すように、上蓋２の裏側に収納スペース３を有する弁当箱であって、該スペースは、丸型の収納スペース３Ａと角型の収納スペース３Ｂを備える。
【００１５】
丸型の収納スペース３Ａは、主として液体・粉末用であって、醤油、ソース、ポン酢、マヨネーズ、ケチャップ、塩、コショウ、からし、わさび等を収納することを想定している。収納スペース３Ａは平面方向円形の収納壁３１によって周囲から隔絶しており、分離型ねじ式のキャップ３２により、キャップ閉時の密封状態が確保されている。
【００１６】
一方、角型の収納スペース３Ｂは、主として付属食品用であって、乾いた海苔、ふりかけの小分けパック、サプリメント等を収納することを想定している。収納スペース３Ｂは平面方向四角形の収納壁３１Ｂに囲まれ、ワンタッチ嵌着式のキャップ３２Ｂが収納壁３１Ｂの一辺に着設されている。
【００１７】
（実施形態２）
実施形態１の弁当箱においては、液体・粉末用の収納スペース３Ａに、分離型のねじ式キャップ３２Ａを採用したが、実施形態２においては、図３に示すように、ワンタッチ嵌着式のキャップ３２Ｂを採用している。キャップ３２Ｂは収納壁３１Ｂに連架されているため、弁当を広げたときにキャップを置く場所を考慮する必要がない点で、利便性を向上させている。キャップ３２Ｂは、嵌着式ではあるが、ねじ式のものと同様、密封性は確保されている。
【００１８】
図３では、２個の液体・粉末用収納スペース３Ａのみ示されているが、むろん、実施形態１にあるような付属食品用収納スペース３Ｂを併設することも可能である。
【符号の説明】
【００１９】
１      弁当箱本体（容器）
２      上蓋
３Ａ    収納スペース（液体・粉末用）
３１Ａ  収納壁（液体・粉末用）
３２Ａ  キャップ（液体・粉末用）
３Ｂ    収納スペース（付属食品用）
３１Ｂ  収納壁（付属食品用）
３２Ｂ  キャップ（付属食品用）
【図１】
0003211693.tif 000003
【図２】
0003211693.tif 000004
【図３】
0003211693.tif 000005
(57)【要約】      （修正有）【課題】手指の突き指、捻挫、靭帯の断裂等の回復期における患部部位の支持器具であって、装着しやすく、また、動きを阻害することがなく日常の作業に適する手指のギブスを提供する。【解決手段】手指を一時的に固定する手指のギブス１は、手指の末節６に篏合される末節用筒と、手指の中節７に篏合される中節用筒と、末節用筒と中節用筒とを結ぶブリッジ１２と、ブリッジに形成された通気口８と、を有し、末節用筒、中節用筒およびブリッジは樹脂で形成され、末節用筒の先端は指先を覆わないことを特徴とする。隣接の手指の動きを阻害することなく可動出来ることによりパソコン、ピアノなどを操作できるようになる。【選択図】図３
0003211675.tif 000002
【実用新案登録請求の範囲】
【請求項１】
手指を一時的に固定する手指のギブスにおいて、
前記手指の末節に篏合される末節用筒と、
前記手指の中節に篏合される中節用筒と、
前記末節用筒と前記中節用筒とを結ぶブリッジと、
前記ブリッジに形成された通気口と、
を有し、前記末節用筒、中節用筒およびブリッジは樹脂で形成され、
前記末節用筒の先端は指先を覆わないことを特徴とする手指のギブス。
【請求項２】
前記ブリッジは、前記手指の腹の部分は覆わない形状をなし、必要に応じてこのブリッジの手指を覆わない部分は絆創膏等によりテーピングすることによって固定することが出来るようになっていることを特徴とする請求項１に記載の手指ギブス。
【考案の詳細な説明】
【技術分野】
【０００１】
本考案は、手指の突き指、捻挫、靭帯の断裂等の回復期における患部部位の支持器具であり、手指先端を残し手指第一関節を固定し、日常の作業に支障を来さない様配慮されたものである。
【背景技術】
【０００２】
手指の突き指、捻挫、靭帯の断裂等の回復期おける患部部位の支持固定器具は手指に添え木をして、包帯で巻いて固定していた。装着し辛く、また動きを阻害するので日常の作業には適していなかった。
【先行技術文献】
【特許文献】
【０００３】
【特許文献１】特開平  １１−１９１０６号公報
【考案の概要】
【考案が解決しようとする課題】
【０００４】
従来は、手指関節の固定は曲げない為の添え木に類したものを包帯、テープ等で巻き付けて装着するもので、片手で装着しづらかった。また巻き付けた部位が太くなるので他手指の運動阻害になっていた。また、包帯やテープで固定するため手指先端が覆われ、指先を使ったパソコン操作、ピアノや楽器類の操作を阻害していた。包帯、テープなどは水分を多く含んだものを扱った後、包交しなおす必要があった。包帯、テープなどは水分が抜けにくく長時間の装着で蒸れて被れる場合があった。
【課題を解決するための手段】
【０００５】
手指のギブスは手指を一時的に固定する手指のギブスにおいて、前期手指の末節に勘合される末節用筒と、前期手指の中節に勘合される中節用筒と、前記末節用筒と前記中節用筒とを結ぶブリッジと、前記ブリッジに形成された通気口と、を有し、前記末節用筒、中節用筒およびブリッジは樹脂で形成され、前記末節用筒の先端は指先を覆わないものである。また、手指のギブスの前記ブリッジは、前記手指の腹の部分は覆わない形状をなし、必要に応じてこのブリッジの手指を覆わない部分は絆創膏等によりテーピングすることによって固定することが出来るようになっていることで問題を解決している。
【考案の効果】
【０００６】
手指にはめるだけで一定の角度に指を反らせた形状で保持出来、厚みが２ｍｍ以下の為、指周りを太らせることが無い。また手指先端が覆われていないので、パソコン操作、ピアノや楽器類の操作が可能になる。脱着が簡素化されたことで水仕事、汚れもの取り扱いなどの後、簡単に洗浄、再装着出来る。長時間の装着でも通気口があるので蒸れる心配がいらない。
【図面の簡単な説明】
【０００７】
【図１】本考案のギブスの三面図である。
【図２】手指の末節を持ち上げる形状がわかる側面図である。
【図３】本考案のギブス装着時の図である。
【図４】個人個人の指のサイズを決めるための測定箇所の図である。
【考案を実施するための形態】
【０００８】
以下添付図面を使って実施の形態を説明する。末節がはめ込まれる末節用楕円形の筒１０と、中節がはめ込まれる中節用楕円形の筒９とそれらを結ぶブリッジ１２で出来ている。ブリッジ１２は通気口８が設けられている。また末節用筒１０と中節用筒９は手指を反らす用中心がずれて出来ている。末節用筒１０は手指の先端が覆われない長さとなっており、爪のあたる部分のみの形状となっている。末節用筒１０と中節用筒９の間は、ブリッジ１２以外の腹の部分は繋がっていない。
【０００９】
装着にあたり、手指の突き指、捻挫、靭帯の断裂等の医師の診断後腫れ擦傷の無い場合はその後すぐ使用できる。腫れ擦傷のある場合は腫れが引いてから、傷が治ってからの使用となる。はじめに手の甲を上にして疾患のある手指を測定する。測定箇所は第一関節の幅、爪の根本から第一関節と第二関節のおおよそ中間地点の寸法を測定する。測定値を基に標準品とオーダーメイドに分類し製作する。手の甲を上にして、ブリッジと通気口のある部位を上方で、疾患部手指に中節用筒側から末節用筒に差し込んで装着する。
手指の測定箇所を示す図４で、２は第一関節の幅、３は爪の根本から第一関節と第二関節のおおよそ中間地点の寸法を測定し個々人の手指に合ったものを製作する。図３は本考案装着時の図である。６は末節、７は中節を示す。制作は３Dプリンター、素材はABSまたはPLAフィラメントを使用。厚みは１ｍｍ〜２ｍｍ。ノズル径０．３〜０．４ｍｍ、積層ピッチ０．１〜０．３ｍｍ。色は白、桃色、肌色、黄色、透明等より選べてネイルアートと同様にデコレーションすることも出来る。爪上にマニキュア等をした後、指先を使っての作業等でマニキュア等が割れたり傷ついたりすることの無い様に保護としても使用出来る。
【００１０】
図３において、本ギブス１を手指に装着するだけで一定の角度に指を反らせた形状で保持出来、従来の添え木を添えて包帯をその上から巻くといった煩わしい手間がなくなり、本ギブス１は厚みが２ｍｍ以下の為、包帯などと比べ、指周りを太らせることが無いので当該手指の隣接手指の動作の阻害が無い。また手指先端が覆われていないので、パソコン操作、ピアノや楽器類の操作が可能になる。脱着が簡素化されたことで水仕事、汚れもの取り扱いなどの後、簡単に洗浄、再装着出来る。長時間の装着でも通気口８があるので蒸れる心配がいらない。
【符号の説明】
【００１１】
１  ギブス
２  第一関節幅
３  爪の根本から第一関節と第二関節のおおよそ中間地点の寸法
４  第一関節
５  第二関節
６  末節
７  中節
８  通気口
９  中節用筒
１０  末節用筒
１１  反り角度
１２  ブリッジ
【図１】
0003211675.tif 000003
【図２】
0003211675.tif 000004
【図３】
0003211675.tif 000005
【図４】
0003211675.tif 000006
(57)【要約】      （修正有）【課題】収納袋の内部が数ヶ所仕切られており、数種類のくすりが入れられ運搬が簡単である薬局通い袋を提供する。【解決手段】収納袋の内部に長方形の板状の仕切り３を設け、この仕切り３によって複数のくすりを収納でき、毎回くすり袋を作ってもらう必要が無い。【選択図】図１
0003211613.tif 000002
【実用新案登録請求の範囲】
【請求項１】
収納袋の内部に長方形の板状の仕切りを設けたことを特徴とする薬局通り袋。
【考案の詳細な説明】
【技術分野】
【０００１】  本考案は、薬局通い袋に関するものである。
【背景技術】
【０００２】  同じ薬を定期的に薬局に通って持ち帰る袋は殆ど無かった。
【考案の開示】
【考案が解決しようとする課題】
【０００３】  定期的に飲んでいる薬を持ち帰り、前途の欠点を解決しようとするものである。
【課題を解決するための手段】
【０００４】  袋の内側に数層の袋部を内部に作り問題点を解決している。
【考案の効果】
【０００５】  上途の様に、外袋の中に数個の袋部を作り複数の薬を運ぶことに役立つ。
【考案を実施するための最良の形態】
【０００６】  外袋の内部に小袋を複数作り、そこに薬袋を収納する。
【実施例】
【０００７】  以下、添付図面に従って実施例を説明する。１の収納袋の内部に、３の仕切りを数ヶ所設け、４のくすり手帳入れ袋を付け、２の手提げで持ち運ぶ。【０００８】  本考案の実施例は、上途の如き構成からなるものであり、薬の持ち運びに用いる。
【図面の簡単な説明】
【０００９】
【図１】正面図
【図２】側面図
【図３】立体図
【符号の説明】
【００１０】    １  収納袋
２  手提げ
３  仕切り
４  くすり手帳入れ
【図１】
0003211613.tif 000003
【図２】
0003211613.tif 000004
【図３】
0003211613.tif 000005
(57)【要約】      （修正有）【課題】花卉植物用支柱連結パッカーを提供する。【解決手段】花卉植物用支柱連結パッカー３は、該連結パッカーがプラスチック材で製造され、一端は中空長孔３１を備え、支柱１ｂ最上部と嵌合結合する。該連結パッカーの別一端は二つの係止片３２を備え、別の支柱１ａを係止定位させる。【選択図】図３
0003211619.tif 000002
【実用新案登録請求の範囲】
【請求項１】
花卉植物用支柱連結パッカーにおいて、
該連結パッカーは、プラスチック材で製造され、該連結パッカーの一端は、中空長孔を備え、支柱最上部と嵌合結合し、該連結パッカーの別一端は２つの係止片を備え，別の支柱を係止して定位させることを特徴とする花卉植物用支柱連結パッカー。
【請求項２】
前記連結パッカーの中空長孔は、内側に比較的小さい円柱孔が形成されることを特徴とする請求項１記載の花卉植物用支柱連結パッカー。
【請求項３】
前記連結パッカーの係止片は、テーパー形状を備えた最大開口，中間の大きさ最小の頸部及び末端の次に大きい係止槽から構成されることを特徴とする請求項１記載の花卉植物用支柱連結パッカー。
【考案の詳細な説明】
【技術分野】
【０００１】
本考案は、花卉植物用支柱連結パッカーに関するもので、特に２本の支柱の間に簡単に相互連結し、安定する構造に係る。
【背景技術】
【０００２】
一般の花卉植物は花梗の生長方向に変化があり、固定棒を花梗の一辺に配置し、花梗を固定棒の形状に沿って成長させる。それによって花梗が定形されて成長し、株自体が開花した時、非常に美しい花序となる。
【０００３】
上述の固定棒業者は、支柱と呼称する。該支柱の最上端には花序を配置し、適する湾曲にするため、適度な弧度を備えることで特殊な花梗もしくは花序とするためには別の一支柱を相互連結して定位する。
【０００４】
しかし、実際の作業においては、以下のような欠点がある。
該支柱を相互連結する時、一般にプラスチック紐で縛り、２本の支柱毎に相互連結するが、安定させるには、作業に時間がかかりすぎる。
【０００５】
仮にクリップで挟持した場合、作業は簡単で速くできるが、運搬移動の時、クリップが外れたり緩んだりしやすく、安定効果が悪い。
【考案の概要】
【考案が解決しようとする課題】
【０００６】
本考案の目的は、連結しやすく、作業時間を節約し、連結が安定する花卉植物用支柱連結パッカーを提供する。
【課題を解決するための手段】
【０００７】
上述の目的を達成するため、本考案の花卉植物用支柱連結パッカーは、プラスチック材で製造され，該連結パッカーの一端は、中空長孔を備え，支柱最上部と嵌合結合する。該連結パッカーの別一端は２つの係止片を備え，別の支柱を係止して定位させる。
【考案の効果】
【０００８】
本考案の花卉植物用支柱連結パッカーは、相互連結を更に安定させ、作業が簡単、便利なだけでなく、スピーディに行え、更に運搬時にも連結が安定して外れにくいという利点がある。
【図面の簡単な説明】
【０００９】
【図１】本考案使用状態指示図である。
【図２】本考案の連結パッカーと支柱を結合した時の指示図である。
【図３】本考案の連結パッカーと支柱を結合した時の断面図である。
【考案を実施するための形態】
【００１０】
先ず、図１に示すとおり、花卉植物の花梗４１上方にある花序４２の生長方向に変化と美観を持たせるため、使用時、支柱１底端を固定端とし、植木鉢４の中（もしくは盆栽もしくは花台等）に挿入して定位する。且つ花卉植物の花梗４１の一側に固定配置し、該支柱１最上部には円弧形状の連結器２を連接して連結器２と支柱１、１ａを結合定位させる。該２本の支柱１、１ａのうち、第二支柱１ａは中空状態であるため、第三支柱１ｂと連結定位させなければならず、該第三支柱１ｂ一端は植木鉢４で傾斜して挿入定位し、別一端は連結パッカー３で連結する。
【００１１】
図２、３に示すとおり、本考案の連結パッカー３は、環境保護に配慮したプラスチック材質、例としてＴＰＲ、ＰＶＣ、ＰＰ等から製造される。一端は中空長孔３１を備えて第三支柱１ｂの接続端（最上端）に簡単に差し込み、該中空長孔３１内側端は比較的小さい円柱孔３１１が形成され、第三支柱１ｂの最上端に結合した時更に安定固定する。該連結パッカー３の別一端は、二つの係止片３２を備え、該係止片３２はテーパー形状を備えた最大開口３２１、中間の大きさ最小の頸部３２２及び末端の次に大きい係止槽３２３から構成され、第二支柱１ａは該テーパー形状の最大開口３２１によって、中間の頸部３２２を経て末端の次に大きい係止槽３２３へ嵌合して係止定位し、且つ該中間の大きさ最小である頸部３２２により、第二支柱１ａは反対方向に脱落しにくい。
【００１２】
使用時、該第三支柱１ｂの一端は、植木鉢４に傾斜して差し込み定位する。別の接続端（最上端）は、該連結パッカー３の一端の中空長孔３１が比較的小さいので、安定して簡単に中空長孔３１内側の端部から延びた小さい円柱孔３１１と結合する。その他、該第二支柱１ａは、該連結パッカー３別一端に弾性挟持する２つの係止片３２を備えることに拠って、該開口３２１から簡単に嵌合し、中間の頸部３２２を経て末端の係止槽３２３へ進入する。該中間の頸部３２２により、該第二支柱１ａは反対方向に脱落しにくく、該２本の支柱１ａ、１ｂの相互連結を更に安定させ、花梗４１上の花序４２をしっかりと固定し、花序４２の美観を更に高める。
【００１３】
上述のとおり、本考案の連結パッカー３が２本の支柱１ａ、１ｂの間の相互連結を更に安定させる。作業が簡単、便利なだけでなく、スピーディに行え、更に運搬時にも連結が安定して外れにくい。
【符号の説明】
【００１４】
１  支柱
１ａ  支柱
１ｂ  支柱
２  連結器
３  連結パッカー
３１  中空長孔
３１１  円柱孔
３２  係止片
３２１  開口
３２２  頸部
３２３  係止槽
４  植木鉢
４１  花梗
４２  花序
【図１】
0003211619.tif 000003
【図２】
0003211619.tif 000004
【図３】
0003211619.tif 000005
(57)【要約】      （修正有）【課題】ブラシのコシが強く、耐久性があり、細かいゴミから小石まで掃き出せる清掃用具を提供する。【解決手段】植毛台１の一面に複数の列をなす毛体群を設け、少なくとも１列の毛体群が他列の毛体群よりも硬い毛３で成る清掃用具であって、例えば植毛台１の一面に３列の毛体群が設けられ、中央の列の毛体群の毛が両側の毛体群の毛よりも硬い毛３が使用されている。【選択図】図５
0003211640.tif 000002
【実用新案登録請求の範囲】
【請求項１】
植毛台の一面に複数の列をなす毛体群を設けた清掃用具において、少なくとも１列の毛体群が他列の毛体群よりも硬い毛で成る前記清掃用具。
【請求項２】
前記複数の列が３列であり、中央の列の毛体群の毛が両側の毛体群の毛よりも硬い、請求項１に記載の清掃用具。
【考案の詳細な説明】
【技術分野】
【０００１】
本考案は、清掃用具に関する。
【背景技術】
【０００２】
従来から、室内や室外用の清掃用具の１つとして、細長い基台の下面に払掃用の繊維を植設したヘッドと、このヘッドに連結された柄とからなるブラシ形ほうきがよく用いられていた。このようなブラシ形ほうきは、細かいちりや小さいゴミを掃き出すのに便利であった。
【考案の概要】
【考案が解決しようとする課題】
【０００３】
しかし、従来のブラシ形ほうきでは、砂のように小さくても重量があるもの、小石のような大きいゴミ等をうまく掃き出せないといった欠点があった。
また、長期間使用していると、ブラシの毛がへたって変形し、掃き出す力が落ちてくるという欠点もあった（図１）。
【０００４】
本考案では、今まで長く使用されて使用者になじみのあるほうきについて、細かく軽いゴミから小石のような大きく重いゴミまで同時に掃き出すことができ、かつ長期間使用してもブラシの毛がへたらない清掃用具を提供することを目的とする。
【課題を解決するための手段】
【０００５】
本考案者は、前記課題を解決すべく鋭意検討を行った結果、植毛台に複数の列をなして植えられた毛の一部の列に剛毛を使用することにより、本考案を完成するに至った。
【考案の効果】
【０００６】
本考案の清掃用具は、ブラシのコシが強く、耐久性があり、細かく軽いゴミから小石のような大きく重いゴミまで一緒に掃き出すことができる。
【図面の簡単な説明】
【０００７】
【図１】長期間使用後の従来のほうきのブラシ部分を示す図面代用写真である。
【図２】本考案の第１実施形態を示す図面である。
【図３】本考案の第１実施形態を示す図面である。
【図４】本考案の第１実施形態を示す図面である。
【図５】本考案の第１実施形態を示す図面である。
【図６】本考案の第２実施形態を示す図面である。
【考案を実施するための形態】
【０００８】
図２〜図５は、本考案に係る清掃用具の第１実施形態であるブラシ１０を示す。
図２の植毛台１は、木製でも合成樹脂製でもよく、特に限定されない。植毛台１の大きさは特に限定されず、長手方向に５ｃｍ〜１０ｃｍのハンディタイプでもよいし、３０ｃｍ〜１ｍの、例えば床清掃用の大きいタイプのものでもよい。
【０００９】
図３において、植毛台１には複数の穴２が複数の列をなして空けられており、毛が毛体群５として植毛されている。列数は特に限定されず、清掃用具の用途によって変えることができる。例えば２列〜１０列で、好ましくは３列である。
また、毛体群５の長さも清掃用具の用途によって変えることができ、庭清掃用であれば２０ｃｍ〜３０ｃｍ、床清掃用であれば３ｃｍ〜６ｃｍ、デスク清掃用であれば１ｃｍ〜２ｃｍ、といったように適宜調整できる。
【００１０】
植毛台１上の少なくとも１列の毛体群は、他列の毛体群よりも硬い毛（本明細書において「剛毛」ということがある。）である。
植毛台１に２列の毛体群がある場合は、１列が剛毛で、もう１列が柔毛である。３列の場合は、中央の１列が剛毛で両側の列が柔毛である。又は、中央の１列が柔毛で両側の列が剛毛でもよい。あるいは、前１列が剛毛で後２列が柔毛でもよいし、前１列が柔毛で後２列が剛毛でもよい。
このように、さまざまなパターンで剛毛の列と柔毛の列を組み合わせることができる。
【００１１】
剛毛は、例えば塩化ビニル、ポリプロピレン、ナイロン、ポリエステル等の合成繊維、タンピコ、カルカヤ等の植物繊維、ステンレス等の金属繊維が挙げられる。毛の硬さ及び材質は、使用する場所により適時調整し最適な硬さにすればよく、特に限定されない。また、柔毛とのバランスで選択することもできる。
【００１２】
柔毛は、例えば馬毛、豚毛等の動物繊維、パーム、シュロ、サイザル、パルミラ等の植物繊維、ポリエステル、ナイロン、ポリプロピレン、塩化ビニル、アクリル等の合成繊維が挙げられる。毛の硬さ及び材質は、使用する場所により適時調整し最適な硬さにすればよく、特に限定されない。剛毛とのバランスで選択することもできる。
【００１３】
図４では、毛体群が３列をなし、中央の１列が剛毛３、両側の列が柔毛４である例を示す。剛毛３と柔毛４は同じ長さでもよいが、剛毛の列と柔毛の列の毛の長さを少し変えてもよい。また、ブラシの毛が全体的に斜めにカットされる等、種々の形をとり得る。
例えば、図５のように、中央の列の剛毛３を両側の列の柔毛よりも１〜３ｍｍ短くすることで、剛毛で小石のような大きいゴミを捕獲しつつ、両側の列の柔毛４で細かい小さなゴミを捕獲することができる。かつ、柔毛のへたれも抑えることができる。
【００１４】
なお、本考案の変形例として、植毛台の一面に複数の列をなす毛体群を設けた清掃用具において、１つの穴の毛体群に剛毛と柔毛とが混在する清掃用具も考えられる。
【００１５】
図６は、本考案の清掃用具の第２実施形態を示す。
前記第１実施形態のブラシ１０に柄６をつけて、ほうきにしたものである。図５のほうきは、学校の教室やベランダ等の室内外の床清掃に適している。
このように、柄や取っ手をつけて種々の清掃用具にすることができる。
【符号の説明】
【００１６】
１    植毛台
２    穴
３    剛毛
４    柔毛
５    毛体群
６    柄
１０  ブラシ
【図１】
0003211640.tif 000003
【図２】
0003211640.tif 000004
【図３】
0003211640.tif 000005
【図４】
0003211640.tif 000006
【図５】
0003211640.tif 000007
【図６】
0003211640.tif 000008
(57)【要約】      （修正有）【課題】小さい犬などの小動物を入れることができる折り返し可能な前掛け部分を有するエプロンを提供する。【解決手段】エプロンは、前掛部１と、後掛部２と、前掛部１と後掛部２を連結する連結部３と、連結部３に設けられた開口部４と、後掛部２の上半部の両側端部各々に上下方向に所定の間隔で設けられた複数のボタン１０ａ〜１０ｄと、前掛部１の上半部の両側端部各々に上下方向に所定の間隔で設けられた複数の第１ボタン掛け穴７ａ〜７ｄと、前掛部１の下半部の両側端部各々に上下方向に所定の間隔で設けられた複数の第２ボタン掛け穴８ａ〜８ｄとを備えた。【選択図】図１
0003211174.tif 000002
【実用新案登録請求の範囲】
【請求項１】
前掛部と、後掛部と、前記前掛部と前記後掛部を連結する連結部と、前記連結部に設けられた開口部と、前記後掛部の上半部の両側端部各々に上下方向に所定の間隔で設けられた複数のボタンと、前記前掛部の上半部の両側端部各々に上下方向に所定の間隔で設けられた複数の第１ボタン掛け穴と、前記前掛部の下半部の両側端部各々に上下方向に所定の間隔で設けられた複数の第２ボタン掛け穴とを備えたことを特徴とするエプロン。
【請求項２】
前記前掛の下端部に沿って設けられた紐通し穴と、前記紐通し穴に通される紐とを更に備えることを特徴とする請求項１記載のエプロン。
【考案の詳細な説明】
【技術分野】
【０００１】  本考案は、エプロンの前掛けの下半部を折り返すことによりできるポケット部に、小さい犬などの小動物を入れることができる折り返し可能な前掛け部分を有するエプロンに関する。
【背景技術】
【０００２】  エプロンの前掛部分を折り返し、前掛部分の下半部を上半部に係止具で止めたり、前掛の下半部に紐又はスリットを設け、紐又はスリットを首又は肩に通すことにより、前掛を折り返し、ポケット部を構成し、比較的小さいペットを入れることが、特許文献１、特許文献２に示されている。
【先行技術文献】
【特許文献】
【０００３】
【特許文献１】特許第３８２８５２３号公報
【特許文献２】特許第４０９５０９９号公報
【考案の概要】
【考案が解決しようとする課題】
【０００４】  上記の構成では、前掛の折り返しによりできるポケット部の収納サイズが一定とならざるを得ず、ポケット部に入れるペットのサイズに合わないといった不都合が生じ得る。
【課題を解決するための手段】
【０００５】  本考案によるエプロンは、前掛部と、後掛部と、前記前掛部と前記後掛部を連結する連結部と、前記連結部に設けられた開口部と、前記後掛部の上半部の両側端部各々に上下方向に所定の間隔で設けられた複数のボタンと、前記前掛部の上半部の両側端部各々に上下方向に所定の間隔で設けられた複数の第１ボタン掛け穴と、前記前掛部の下半部の両側端部各々に上下方向に所定の間隔で設けられた複数の第２ボタン掛け穴とを備えたことを特徴とする。
また、前掛の下端部に沿って設けられた紐通し穴と、紐通し穴に通される紐とを更に備えることを特徴とする。
【考案の効果】
【０００６】  ボタン穴を掛けるボタンを変えることにより、ペットのサイズに合わせてポケット部の収納サイズや高さ位置を変えることができる。
また、紐通し穴に通されている紐を締めることにより、前掛の折り返しによりできるポケット部の開口サイズを調整したり、また、紐を背中へ回し縛ることによりポケット部を身体に固定することも可能である。
【図面の簡単な説明】
【０００７】
【図１】本考案の一実施例によるエプロンの全体を示す図である。
【図２】図１のエプロンを着衣した際のエプロンを示す図である。
【図３】図２において前掛部を折り返してポケット部を形成した状態を示す図である。
【図４】本考案のエプロンを着衣した状態を示す図である。
【図５】本考案のエプロンを着衣し、前掛部を折り返しポケット部を設けた状態を示す図である。
【図６】本考案のエプロンを着衣し、前掛部を折り返しポケット部にペットを入れた状態を示す図である。
【考案を実施するための形態】
【実施例】
【０００８】  本考案に関するエプロンを図に基づいて説明する。
図１において、エプロンは、前掛部１と後掛部２とからなり、前掛部１と後掛部２をつなぐ連結部３に頭部を通す開口部４が形成され、開口部４の両側の連結部４が肩当部５を構成している。
前掛部１の腰部６から上方の両側端部に沿って、所定の間隔で、複数の第１ボタン掛け穴７（７ａ，７ｂ，７ｃ，７ｄ）を設け、腰部６から下方の両側端部に沿って、第１ボタン掛け穴７と同じ間隔で、複数の第２ボタン掛け穴８（８ａ，８ｂ，８ｃ，８ｄ）を設けている。
前掛部１の下端に沿って、折り返し縫い等によって通し穴（図示せず）を設け、通し穴には、紐９が通されている。
前掛部１の各第１ボタン掛け穴７に対応するように、後掛部２の上方の両側に、複数のボタン１０（１０ａ，１０ｂ，１０ｃ，１０ｄ）が設けられている。
前掛部１の下端と同様に後掛部２の下端にも、折り返し縫い等によって通し穴（図示せず）が設けられ、通し穴には、紐１１が通されている。
エプロンは、例えば、麻布で構成され、ボタン７は、裏当ての布及びボタン（図示せず）を介して布地に縫い付けられ、強度を持たせている。また、肩当部５には、裏当てとしてクッション部材（図示せず）を縫い付けている。【０００９】  上記のように構成されたエプロンは、前掛部１を身体の前側になるように開口部４に頭部を通し、後掛部２のボタン１０ａ，１０ｂ，１０ｃ，１０ｄを対応する前掛部１の第１ボタン掛け穴７ａ，７ｂ，７ｃ，７ｄに掛けて着衣する。（図２参照）
そして、ペットを収納保持する場合には、前掛部１の腰部７から下方の部分（下半部）を折り返し、第２ボタン掛け穴８ａ，８ｂ，８ｃ，８ｄを同じ側のボタン１０ａ，１０ｂ，１０ｃ，１０ｄにそれぞれ通すことにより、ポケット部が形成される。（図３参照）
ボタン１０に通す第２ボタン掛け穴８の位置をずらすことにより、ポケット部の収納サイズ、高さ位置を調整することができる。
上記の実施例では、後掛部２のボタン１０と第１ボタン掛け穴７を両側にそれぞれ４個ずつ設けた例を示したが、これに限らず、それぞれの数を適宜設定しても良い。
後掛部２のボタン１０の数及び第１ボタン掛け穴７を第２ボタン掛け穴８より多く設ければ、第２ボタン掛け穴８を通すボタン７の位置をずらしても、全ての第１ボタン掛け穴８をボタン１０に掛けることができ、強度が保たれる。
前掛部１の紐９を締めることにより、前掛部１の折り返しによりできるポケット部の開口サイズを調整したり、また、紐９を背中へ回し縛ることによりポケット部を身体に安定して保持することができる。
【符号の説明】
【００１０】１    前掛部
２    後掛部
３    連結部
４    開口部
５    肩当部
６    腰部
７    第１ボタン掛け穴
８    第２ボタン掛け穴
９    紐
１０  ボタン
【図１】
0003211174.tif 000003
【図２】
0003211174.tif 000004
【図３】
0003211174.tif 000005
【図４】
0003211174.tif 000006
【図５】
0003211174.tif 000007
【図６】
0003211174.tif 000008
(57)【要約】      （修正有）【課題】農作業に使用するビニールシートに傷をつけないで固定できるようにした農業用シートの止め具を提供する。【解決手段】ビニールシート１０を押さえるための突起部２、３を複数、シートの止め具１のＬ字状の折曲部の中部に設ける。シートの止め具１の本体部の先端は地面に挿入しやすい形状としてある。【選択図】図１
0003211135.tif 000002
【実用新案登録請求の範囲】
【考案の詳細な説明】
【技術分野】本考案は、シートに傷  穴をあけないでシートを止めて使用するのが目的の発案です
【考案の効果】
【符号の説明】１    プラスチック
２    プラスチック
３    プラスチック
４    プラスチック
５    プラスチック
６    プラスチック
７    プラスチック
８    プラスチック
９    プラスチック
【図１】
0003211135.tif 000003
【図２】
0003211135.tif 000004
【手続補正書】
【提出日】平成29年2月13日(2017.2.13)
【手続補正１】
【補正対象書類名】実用新案登録請求の範囲
【補正対象項目名】全文
【補正方法】追加
【補正の内容】
【実用新案登録請求の範囲】
【請求項１】
農業用シートに傷をつけない止め具
【手続補正２】
【補正対象書類名】明細書
【補正対象項目名】全文
【補正方法】変更
【補正の内容】
【考案の詳細な説明】
【技術分野】
【０００１】本考案は、農作業に使用するビニールシートに傷をつけないで固定できるようにしたシート止め具に関するものである。
【背景枝術】
【０００２】市販品があるが  シートを固定する場合  シートに穴をあけて固定をしなければならない為  シートの再利用ができない
【図面の簡単な説明】
【０００３】
【図１】本考案の農業シート止め具の正面図である。
【符号の説明】
【０００４】１          農業用シート止め具の本体
２          農業用シート止め具の突起
３          農業用シート止め具の突起
４          突起物
５          突起物
６          突起物
７          突起物
８          突起物
９          突起物
１０        ビニールシート
【手続補正４】
【補正対象書類名】図面
【補正対象項目名】全図
【補正方法】変更
【補正の内容】
【図１】
0003211135.tif 000005
【手続補正書】
【提出日】平成29年4月11日(2017.4.11)
【手続補正１】
【補正対象書類名】実用新案登録請求の範囲
【補正対象項目名】全文
【補正方法】変更
【補正の内容】
【実用新案登録請求の範囲】
【請求項１】
農業用シートに傷をつけない止め具であって、  Ｌ字状の本体部を備え、本体部に農業用シートを押さえつけるための突起部を設けた
農業用シートの止め具。